(57)【要約】【課題】  壁掛設置の際にスタンドの一部と支持台とを取外し保管する必要をなくする。スタンド，支持台の製造コストを安価にする。【解決手段】  表示部１がスタンド３を介して卓面に当接される支持台２に支持され、スタンド３が表示部１の背面に連結されている。スタンド３は、表示部１に必要な回路基板類の一部が内蔵されたボックス形に形成されて表示部１に対して上下方向へ１８０度の角度で回動可能に連結されている。スタンド３と支持台２とは、スタンド３の両回動端位置でそれぞれ異なる方向から着脱可能である。【選択図】図１
2007328068.tif 000002
【特許請求の範囲】
【請求項１】
表示部がスタンドを介して卓面に当接される支持台に支持され、スタンドが表示部の背面に連結された薄型表示装置において、スタンドは表示部に必要な回路基板類の一部が内蔵されたボックス形に形成されて表示部に対して上下方向へ１８０度の角度で回動可能に連結され、スタンドと支持台とはスタンドの両回動端位置でそれぞれ異なる方向から着脱可能であることを特徴とする薄型表示装置。
【請求項２】
請求項１の薄型表示装置において、支持台はスタンドを着脱可能に支持する支持フレームが取付けられ、スタンドは底面，側面を支持台に当接させた際に支持フレームに嵌合されて支持される端部構造と側面を支持台に当接させた際に支持フレームに係合されて支持される係合溝とが設けられていることを特徴とする薄型表示装置。
【請求項３】
請求項２の薄型表示装置において、支持フレームはスタンドが支持台に側面で当接する際にスタンドを避ける切除部が設けられていることを特徴とする薄型表示装置。
【請求項４】
請求項２または３の薄型表示装置において、支持フレームへのスタンドの支持をロックするロック機構が備えられていることを特徴とする薄型表示装置。
【請求項５】
請求項４の薄型表示装置において、ロック機構は支持フレームへのスタンドの異なる方向での支持を共通にロックするものであることを特徴とする薄型表示装置。
【発明の詳細な説明】
【技術分野】
【０００１】
本発明は、液晶テレビ，パソコン用液晶モニタ等の薄型表示装置に係る技術分野に属する。
【背景技術】
【０００２】
最近、薄型表示装置として、卓面（床面）に載せて設置する卓上（床上）設置と壁面に掛けて設置する壁掛設置とを随時に変換できるようにしたものが提供されている。薄型表示装置の設置構造は、液晶パネル，各種基板等を収容してかなり重量のある表示部を卓面（床面）に当接する支持台にスタンド（支柱）を介して支持してなるものが一般的である。従って、卓上設置を安定させるためには、支持台の卓面への当接面積を大きくすることが必要となる。ところが、支持台が大型化すると、壁掛設置の際に支持台（特に、表示部，スタンドの後方側へ突出した部分）が邪魔になってしまうという不具合が生ずる。このため、薄型表示装置の設置構造に卓上設置，壁掛設置の双方に充分に対応することのできる機能を備えることが要望されている。
【０００３】
従来、設置構造に卓上設置，壁掛設置の双方に充分に対応することのできる機能を備えた薄型表示装置としては、例えば、以下に記載のものが知られている。
【特許文献１】特開２００５−１１５４０３号公報  特許文献１には、表示部に対してスタンドの一部と支持台とを着脱可能にした薄型表示装置が記載されている。
【０００４】
特許文献１に係る薄型表示装置は、壁掛設置の際に表示部からスタンドの一部と支持台とを取外すことで、表示部の背面側から壁掛設置の邪魔になる不要物を除去するものである。もちろん、表示部やスタンドの他の一部に取外したスタンドの一部と支持台とを取付ければ、卓上設置に再度変換することができるものである。
【発明の開示】
【発明が解決しようとする課題】
【０００５】
特許文献１に係る薄型表示装置では、壁掛設置の際に取外された特殊形状であるスタンドの一部と支持台との保管場所に困るという問題点がある。また、かなり重量のある表示部に対応してスタンド，支持台の耐荷重強度を高める必要があるため、スタンド，支持台の製造コストが高くなるという問題点がある。
【０００６】
本発明は、このような問題点を考慮してなされたもので、壁掛設置の際にスタンドの一部と支持台とを取外し保管する必要がなく、スタンド，支持台の製造コストが安価な薄型表示装置を提供することを課題とする。
【課題を解決するための手段】
【０００７】
前述の課題を解決するため、本発明に係る薄型表示装置は、特許請求の範囲の各請求項に記載の手段を採用する。
【０００８】
即ち、請求項１では、表示部がスタンドを介して卓面に当接される支持台に支持され、スタンドが表示部の背面に連結された薄型表示装置において、スタンドは表示部に必要な回路基板類の一部が内蔵されたボックス形に形成されて表示部に対して上下方向へ１８０度の角度で回動可能に連結され、スタンドと支持台とはスタンドの両回動端位置でそれぞれ異なる方向から着脱可能であることを特徴とする。
【０００９】
この手段では、壁掛設置の際に支持台をスタンドから取外すが、支持台を保管せずに壁面に取付けて表示部に対して回動させたスタンドを異なる方向から連結することができる。また、重量のある表示部に必要な回路基板類の一部がスタンドに内蔵されて、スタンドに要求される耐荷重強度が緩和される。
【００１０】
また、請求項２では、請求項１の薄型表示装置において、支持台はスタンドを着脱可能に支持する支持フレームが取付けられ、スタンドは底面，側面を支持台に当接させた際に支持フレームに嵌合されて支持される端部構造と側面を支持台に当接させた際に支持フレームに係合されて支持される係合溝とが設けられていることを特徴とする。
【００１１】
この手段では、スタンドが特別な付属具等を用いることなく支持面に底面，側面が当接され支持面に取付けられた支持フレームに嵌合，係合で着脱可能に支持される。
【００１２】
また、請求項３では、請求項２の薄型表示装置において、支持フレームはスタンドが支持台に側面で当接する際にスタンドを避ける切除部が設けられていることを特徴とする。
【００１３】
この手段では、支持台を壁面に取付ける際に支持フレームの切除部を下方に位置させることで、表示部に対して回動させたスタンドを避けることができる。
【００１４】
また、請求項４では、請求項２または３の薄型表示装置において、支持フレームへのスタンドの支持をロックするロック機構が備えられていることを特徴とする。
【００１５】
この手段では、支持フレームへのスタンドの支持状態がロック機構で保持される。
【００１６】
また、請求項５として、請求項４の薄型表示装置において、ロック機構は支持フレームへのスタンドの異なる方向での支持を共通にロックするものであることを特徴とする。
【００１７】
この手段では、１つのロック機構で支持フレームへのスタンドの異なる方向での支持のロックを兼用する。
【発明の効果】
【００１８】
本発明に係る薄型表示装置は、壁掛設置の際に支持台をスタンドから取外すが、支持台を保管せずに壁面に取付けて表示部に対して回動させたスタンドを異なる方向から連結することができるため、壁掛設置の際にスタンドの一部と支持台とを取外し保管する必要がなくなる効果がある。また、重量のある表示部に必要な回路基板類の一部がスタンドに内蔵されて、スタンドに要求される耐荷重強度が緩和されるため、スタンド，支持台の製造コストが安価になる効果がある。
【００１９】
さらに、請求項２として、スタンドが特別な付属具等を用いることなく支持面に底面，側面が当接され支持面に取付けられた支持フレームに嵌合，係合で着脱可能に支持されるため、卓上設置，壁掛設置の変換作業が容易である効果がある。
【００２０】
さらに、請求項３として、支持台を壁面に取付ける際に支持フレームの切除部を下方に位置させることで、表示部に対して回動させたスタンドを避けることができるため、壁掛設置の際に壁面との間に無用の隙間を形成しなくてすむ効果がある。
【００２１】
さらに、請求項４として、支持フレームへのスタンドの支持状態がロック機構で保持されるため、卓上設置，壁掛設置の設置構造が不測にくずれることがない効果がある。
【００２２】
さらに、請求項５として、１つのロック機構で支持フレームへのスタンドの異なる方向での支持のロックを兼用するため、支持フレーム，スタンド周りの構造の複雑化を避けることができる効果がある。
【発明を実施するための最良の形態】
【００２３】
以下、本発明に係る薄型表示装置を実施するための最良の形態を図面に基づいて説明する。
【００２４】
この形態は、図１に示すように、表示部１を支持台２，スタンド３で支持する設置構造が構成されている。
【００２５】
表示部１は、ほぼ方体形のハウジングに液晶パネル，各種基板等（例えば、ＬＣＤコントロール基板，インバータユニット）が収容されている。
【００２６】
支持台２は、平面形状が変形の台形に形成されている。
【００２７】
スタンド３は、前側面３ａ，後側面３ｂ，横側面３ｃ，３ｄ，底面３ｅ，上面３ｆのボックス形に形成され、表示部１に必要な回路基板類（各種基板，ユニット）の一部が内蔵されている。即ち、表示部１に収容されるべき回路基板類がスタンド３に移設され、表示部１が小型軽量化（薄性化）されている。なお、表示部１，スタンド３を電気的に接続するのに必要となる電線については、後述の軸４，軸受５を利用して配線されることになる。
【００２８】
表示部１とスタンド３とは、表示部１の背面の２箇所に突出され固定された軸４とスタンド３の上端部の両側（横側面３ｃ，３ｄ）に形成された軸受５とにより両持ち式で回動可能に連結されている。軸４，軸受５は、軸線が水平方向へ配設されて、スタンド３を上下方向へ１８０度の角度で回動させことができるようになっている。また、軸４，軸受５の間には、スタンド３の回動を任意の角度でロック可能な圧接構造，弾圧構造，噛合構造等が設けられている。
【００２９】
支持台２とスタンド３とは、支持台２の上面に取付けられた支持フレーム６によって着脱可能に連結されている。支持フレーム６は、長片６ａ，６ｂと短片６ｃ，６ｄとからなる細幅の長方形の枠体に形成され、長片６ａ，６ｂを前後方向に位置させて支持台２に強固に固定されている。支持フレーム６の後方側の長片６ｂは、中央の大部分が切除された切除部６ｅが設けられ、実質的に短片形になっている。
【００３０】
スタンド３には、支持フレーム６に対応するための端部構造７，係合溝８が設けられている。端部構造７は、スタンド３の底面３ｅまたは前側面３ａを支持台２に当接させた際に支持フレーム６の内部に嵌合するもので、ボックス形のスタンド３の前側面３ａ，後側面３ｂ，横側面３ｃ，３ｄ側面の下端部分の外壁自体または横側面３ｃ，３ｄの下端部分と底面３ｅの外壁自体で構成されている。係合溝８は、スタンド３の側面を支持台２に当接させた際に支持フレーム６に係合するもので、支持フレーム６の実質的に短片形の長片６ｂが差込まれるスリットとしてスタンド３の横側面３ｃ，３ｄから前側面３ａ，後側面３ｂに開放されて堀込み形成されている。
【００３１】
スタンド３と支持フレーム６との間には、支持フレーム６へのスタンド３の支持をロックする１対のロック機構９が備えられている。ロック機構９は、図２に詳細に示されるように、支持フレーム６の両短片６ｃ，６ｄの中心に穿孔されたピン受孔９ａと、スタンド３の下端部に収容され横側面３ｃ，３ｄからピン受孔９ａにスライドして進退されるロックピン９ｂと、スタンド３の内部に収容され各ロックピン９ｂをピン受孔９ａ方向へ弾圧付勢するコイルスプリング９ｃと、各ロックピン９ｂに連結されロックピン９ｂをスライド操作する操作レバー９ｄと、各操作レバー９ｄをスタンド３の後側面３ｂに開放するとともに操作レバー９ｄのスライドの操作域を規制するスライド用溝９ｅとからなる。
【００３２】
この形態によると、表示部１に収容されるべき回路基板類がスタンド３に移設され、表示部１が小型軽量化（薄性化）されているため、スタンド３に要求される耐荷重強度が緩和される。従って、スタンド３，支持台２の製造コストが安価になる。
【００３３】
この形態の卓上設置では、図１に示すように、支持台２にスタンド３の底面３ｅが当接されて、支持台２からスタンド３が垂直に起立して支持される。このとき、スタンド３の前側面３ａ，後側面３ｂ，横側面３ｃ，３ｄの下端部分である端部構造７が支持フレーム６の内部に嵌合するとともに、ロック機構９のピン受孔９ａ，ロックピン９ｂが係合する（図２（Ａ）参照）。従って、卓上設置の安定性が確保される。
【００３４】
この形態を卓上設置から壁掛設置に変換する場合には、図２（Ｂ）に示すように、ロック機構９の操作レバー９ｄを操作してピン受孔９ａ，ロックピン９ｂの係合を解除する。そして、ロック機構９のロック解除状態を維持したまま、スタンド３を表示部１とともに上方へ引上げる。この結果、図３に示すように、スタンド３が支持フレーム６から離脱されることになる。
【００３５】
この後、スタンド３が離脱した支持台２は、保管されることなく壁面Ｗに取付けられる。取付手段については、適当な取付具を使用したり直接的にネジ等で取付けたりすることができる。なお、この取付けの際には、支持台２の前方側を上方に位置させ、支持フレーム６の切除部６ｅを下側に位置させておく。
【００３６】
一方、支持台２から離脱したスタンド３は、軸４，軸受５で回動される。即ち、図４に示すように、表示部１に対してスタンド３を１８０度回動させ、スタンド３を表示部１の背面で上方へ反転させる。そして、図４，図５に示すように、ロック機構９のロック解除状態を維持したまま、スタンド３を卓上設置の場合とは異なる方向から壁面Ｗに取付けられている支持台２に取付けられている支持フレーム６に嵌合させる。この結果、スタンド３の後側面３ｂが支持台２に当接され、スタンド３の後側面３ｂ，横側面３ｃ，３ｄの下端部分と底面３ｅとである端部構造７が支持フレーム６の内部に嵌合される。また、支持フレーム６の切除部６ｅが表示部１に対して回動しているスタンド３を避けるとともに、支持フレーム６の実質的に短片形になっている長片６ｂがスタンド３に設けられている係合溝に８に係合する。従って、スタンド３が支持フレーム６に確実に保持され脱落するようなことはない。なお、ロック機構９をロックすることにより、スタンド３の支持フレーム６への保持がより確実になる。
【００３７】
この形態を壁掛設置から卓上設置する変換する場合には、前述の卓上設置から壁掛設置への変換作業の逆の作業を行うことになる。
【００３８】
なお、表示部１に対してスタンド３の回動を任意の角度でロックして、卓上設置，壁掛設置のいずれの場合にも表示部１の上下方向の向きを調整することができるため、表示部１の見やすさの低下を防止することができる。
【００３９】
この形態は、スタンド３と支持台２とをスタンド３の両回動端位置でそれぞれ異なる方向から着脱可能にすることで、支持台２が卓上設置，壁掛設置の双方で使用されるため、壁掛設置の際に支持台２を不要物として保管する必要がなくなる。
【００４０】
以上、図示した形態の外に、ロック機構９のロックピン９ｂの先端部にテーパを設ける等して、スタント３と支持フレーム６との嵌合の際に、ロックピン９ｂが支持フレーム６との当接で後退してピン受孔９ａに自動的に係合するようにすることも可能である。
【図面の簡単な説明】
【００４１】
【図１】本発明に係る薄型表示装置を実施するための最良の形態の卓上設置の場合の斜視図である。
【図２】図１の要部の拡大横断面図である。
【図３】本発明に係る薄型表示装置を実施するための最良の形態の卓上設置から壁掛設置への変換の中途状態の斜視図である。
【図４】図３に続く変換の中途状態の斜視図である。
【図５】本発明に係る薄型表示装置を実施するための最良の形態の壁掛設置の場合の一部を切除した斜視図である。
【符号の説明】
【００４２】
１            表示部
２            支持台
３            スタンド
４            軸
５            軸受
６            支持フレーム
７            端部構造
８            係合溝
９            ロック機構
ｗ            壁面
【図１】
2007328068.tif 000003
【図２】
2007328068.tif 000004
【図３】
2007328068.tif 000005
【図４】
2007328068.tif 000006
【図５】
2007328068.tif 000007